(57)【要約】【課題】従来に比べて通気性が良好な吸収性物品を提供する。【解決手段】吸収性物品は、着用者の腹部を覆う前身頃領域と、着用者の背部を覆う後身頃領域と、前身頃領域及び後身頃領域の間に位置すると共に吸収体が配置される股下領域が連設された吸収性物品であって、前身頃領域及び後身頃領域のうち、着用者の胴部を挿通可能な胴開口部において、少なくとも着用者の腰骨に対応する部位から胴回り方向に沿って延設される複数の伸縮部材を含み、胴開口部を胴回り方向に収縮させる胴開口部下側収縮部と、胴開口部の開口部端縁と胴開口部下側収縮部との間において胴回り方向に沿って延設される複数の伸縮部材を含み、胴開口部を胴回り方向に収縮させる胴開口部上側収縮部と、を備え、胴開口部下側収縮部が有する複数の伸縮部材同士の間隔は、胴開口部上側収縮部が有する複数の伸縮部材同士の間隔よりも大きい。【選択図】図７
2020103562.tif 000002
【特許請求の範囲】
【請求項１】
着用者の腹部を覆う前身頃領域と、着用者の背部を覆う後身頃領域と、前記前身頃領域及び前記後身頃領域の間に位置すると共に吸収体が配置される股下領域が連設された吸収性物品であって、
前記前身頃領域及び前記後身頃領域のうち、着用者の胴部を挿通可能な胴開口部において、少なくとも着用者の腰骨に対応する部位から胴回り方向に沿って延設される複数の伸縮部材を含み、前記胴開口部を胴回り方向に収縮させる胴開口部下側収縮部と、
前記胴開口部の開口部端縁と前記胴開口部下側収縮部との間において胴回り方向に沿って延設される複数の伸縮部材を含み、前記胴開口部を胴回り方向に収縮させる胴開口部上側収縮部と、を備え、
前記胴開口部下側収縮部が有する複数の伸縮部材同士の間隔は、前記胴開口部上側収縮部が有する複数の伸縮部材同士の間隔よりも大きい、
吸収性物品。
【請求項２】
前記胴開口部下側収縮部が有する複数の伸縮部材同士の間隔は、６．５ｍｍ以上１２ｍｍ以下である、
請求項１に記載の吸収性物品。
【請求項３】
前記胴開口部下側収縮部は、前記開口部端縁から２０ｍｍ以上４０ｍｍ以下の範囲内を含む領域に設けられている、
請求項１又は２に記載の吸収性物品。
【請求項４】
前記胴開口部上側収縮部と前記胴開口部下側収縮部における肌対向面を覆うように積層配置される通気路形成シートを更に備え、
前記通気路形成シートは、前記肌対向面に対して胴回り方向に沿って間欠的に複数設けられる接合部によって接合されており、前記胴開口部上側収縮部と前記胴開口部下側収縮部の収縮によって前記接合部同士の間に位置する非接合領域が撓み、波型に変形することで通気路を形成する、
請求項１から３の何れか一項に記載の吸収性物品。
【請求項５】
前記開口部端縁と前記胴開口部上側収縮部との間において前記開口部端縁に沿って胴回り方向に延設される複数の伸縮部材を含み、前記胴開口部を胴回り方向に収縮させる開口部端縁側収縮部を更に備え、
前記開口部端縁側収縮部が有する複数の伸縮部材同士の間隔は、前記胴開口部上側収縮部が有する複数の伸縮部材同士の間隔よりも大きい、
請求項１から４の何れか一項に記載の吸収性物品。
【請求項６】
前記胴開口部上側収縮部が有する伸縮部材を、前記胴開口部を形成する部分に内包したカバーシートを備え、
前記カバーシートは、前記開口部端縁の部分で折り返されており、折り返し部分の折り目に前記カバーシートを貫通する連続的な通気孔を有する、
請求項１から５の何れか一項に記載の吸収性物品。
【発明の詳細な説明】
【技術分野】
【０００１】
本発明は、吸収性物品に関する。
【背景技術】
【０００２】
使い捨ておむつ、尿パッド、生理用品等の吸収性物品においては、尿や体液等の排泄液を吸収する吸収体を備えている。この種の吸収体として、例えばパルプや高吸収性重合体（Ｓｕｐｅｒ  Ａｂｓｏｒｂｅｎｔ  Ｐｏｌｙｍｅｒ：ＳＡＰ）等が用いられている。
【０００３】
そして、吸収性物品の着用時においては、吸収体に吸収された尿や体液等から発生する湿気が吸収性物品の内部空間（着用者の肌と吸収性物品の肌当接面との間に形成される空間）に滞留しやすく、この湿気は肌かぶれ等のスキントラブルを引き起こす要因となり、また、蒸れ・べたつき等の不快感を生じさせる要因となるため、好ましくない。
【０００４】
そこで、吸収性物品の着用時に、吸収性物品の内部空間に滞留する湿気を外部に排出させるために、吸収性物品の通気性を向上させるための種々の提案がなされている（例えば、特許文献１等を参照）。例えば、弾性部材により外層シート及び内層シートをウエスト周方向に収縮させてウエスト回りに襞を形成し、襞と着用者の肌との隙間から湿気を外部に排出させるようにした使い捨ておむつが知られている。
【先行技術文献】
【特許文献】
【０００５】
【特許文献１】特許第５５７３８０６号公報
【発明の概要】
【発明が解決しようとする課題】
【０００６】
上記のように、吸収性物品の通気性を向上させるための各種提案はなされているが、より通気性の高い吸収性物品の提供が望まれているのが実情である。そこで、本発明は、従来に比べて通気性が良好な吸収性物品を提供することを目的の一つとする。
【課題を解決するための手段】
【０００７】
上記課題を解決するため、本発明に係る吸収性物品は、着用者の腹部を覆う前身頃領域と、着用者の背部を覆う後身頃領域と、前身頃領域及び後身頃領域の間に位置すると共に吸収体が配置される股下領域が連設された吸収性物品であって、前身頃領域及び後身頃領域のうち、着用者の胴部を挿通可能な胴開口部において、少なくとも着用者の腰骨に対応する部位から胴回り方向に沿って延設される複数の伸縮部材を含み、胴開口部を胴回り方向に収縮させる胴開口部下側収縮部と、胴開口部の開口部端縁と胴開口部下側収縮部との間において胴回り方向に沿って延設される複数の伸縮部材を含み、胴開口部を胴回り方向に収縮させる胴開口部上側収縮部と、を備え、胴開口部下側収縮部が有する複数の伸縮部材同士の間隔は、胴開口部上側収縮部が有する複数の伸縮部材同士の間隔よりも大きい。
【０００８】
なお、胴開口部下側収縮部が有する複数の伸縮部材同士の間隔は、６．５ｍｍ以上１２ｍｍ以下であってもよい。
【０００９】
また、胴開口部下側収縮部は、開口部端縁から２０ｍｍ以上４０ｍｍ以下の範囲内を含む領域に設けられていてもよい。
【００１０】
また、胴開口部上側収縮部と胴開口部下側収縮部における肌対向面を覆うように積層配
置される通気路形成シートを更に備え、通気路形成シートは、肌対向面に対して胴回り方向に沿って間欠的に複数設けられる接合部によって接合されており、胴開口部上側収縮部と胴開口部下側収縮部の収縮によって接合部同士の間に位置する非接合領域が撓み、波型に変形することで通気路を形成してもよい。
【００１１】
また、開口部端縁と胴開口部上側収縮部との間において開口部端縁に沿って胴回り方向に延設される複数の伸縮部材を含み、胴開口部を胴回り方向に収縮させる開口部端縁側収縮部を更に備え、開口部端縁側収縮部が有する複数の伸縮部材同士の間隔は、胴開口部上側収縮部が有する複数の伸縮部材同士の間隔よりも大きくてもよい。
【００１２】
また、胴開口部上側収縮部が有する伸縮部材を、胴開口部を形成する部分に内包したカバーシートを備え、カバーシートは、開口部端縁の部分で折り返されており、折り返し部分の折り目にカバーシートを貫通する連続的な通気孔を有していてもよい。
【発明の効果】
【００１３】
上記の吸収性物品であれば、従来に比べて良好な通気性を得ることが可能となる。
【図面の簡単な説明】
【００１４】
【図１】図１は、実施形態に係るパンツ型使い捨ておむつの斜視図である。
【図２】図２は、実施形態に係るおむつの分解斜視図である。
【図３】図３は、実施形態に係るおむつを展開した状態を模式的に示した図である。
【図４】図４は、実施形態に係るおむつの通気路形成シートの設置態様について説明する図である。
【図５】図５は、通気路形成シートを接合している接合部の部位を示した図である。
【図６】図６は、各収縮部における収縮力の大きさを示した図である。
【図７】図７は、ウエストギャザーの第２収縮部とタミーギャザーの第３収縮部に形成される襞を説明する図である。
【図８】図８は、変形例に係るおむつを展開した状態を模式的に示した図である。
【図９】図９は、ウエストギャザーの第１収縮部及び第２収縮部とタミーギャザーの第３収縮部に形成される襞を説明する図である。
【図１０】図１０は、ウエストギャザーが収縮した際に胴開口部の開口部端縁に形成される通気孔を示した図である。
【発明を実施するための形態】
【００１５】
以下、本発明の実施形態について説明する。以下に示す実施形態は、本発明の実施形態の一例であり、本発明の技術的範囲を以下の態様に限定するものではない。
【００１６】
＜実施形態＞
図１は、実施形態に係るパンツ型使い捨ておむつ（以下、単に「おむつ」という）１の斜視図である。図２は、実施形態に係るおむつ１の分解斜視図である。また、図３は、実施形態に係るおむつ１を展開した状態を模式的に示した図である。図３の（Ａ）は、展開時におけるおむつ１を左側から見た場合の内部構造を模式的に示している。図３の（Ｂ）は、展開時におけるおむつ１の平面構造を模式的に示している。
【００１７】
本明細書で用いる方向に関する用語は、おむつ１が着用者に着用された状態において該着用者の前後左右に一致する方向を意味するものとする。例えば、本明細書で左右方向という場合、おむつ１の着用者に着用された状態において該着用者の左右に一致する方向を意味する。
【００１８】
また、本明細書において、おむつ１の「前身頃領域」とは、着用者におむつ１を装着し
た際に、着用者の腹部（身体前方）を覆う部分を意味する。おむつ１の「股下領域」とは、着用者におむつ１を装着した際に、着用者の股下を覆う部分を意味する。おむつ１の「後身頃領域」とは、着用者におむつ１を装着した際に、着用者の背部（身体後方）を覆う部分を意味する。また、本明細書において、「長手方向」とは、おむつ１の前身頃領域と後身頃領域を結ぶ方向を意味する。すなわち、おむつ１の長手方向は、前身頃領域、股下領域、及び後身頃領域が連設される連設方向に一致している。また、「幅方向」とは、おむつ１の長手方向に直交する方向を意味する。
【００１９】
本実施形態では、吸収性物品の一例として、着用者の腹囲が入る開口部と、着用者の左下肢及び右下肢が挿通される左右一対の開口部とを有する筒状構造のパンツ型使い捨ておむつを例示するが、本明細書における「吸収性物品」は、パンツ型使い捨ておむつに限定されるものでない。「吸収性物品」には、例えば、着用者の股下（陰部）を前身頃領域から後身頃領域にかけて覆うシート状の部材の一端部付近に固定されたテープを、該シート状の部材の他端部付近に貼り付けることで筒状構造を形成するテープ型使い捨ておむつ等、腹囲と股下を包み得る各種形態の吸収性物品が含まれる。
【００２０】
図１〜３に示すように、おむつ１は、着用状態において着用者の股下（陰部）を覆う股下領域１Ｂと、着用者の腹部を覆う前身頃領域１Ｆと、着用者の背部を覆う後身頃領域１Ｒとを有している。股下領域１Ｂは、前身頃領域１Ｆと後身頃領域１Ｒの間に位置すると共に前身頃領域１Ｆと後身頃領域１Ｒに連設されており、股下領域１Ｂには液体を吸収して保持する吸収部本体１５（吸収体８）が設けられている。
【００２１】
本実施形態におけるおむつ１は、パンツ型の使い捨ておむつであるため、前身頃領域１Ｆの左側縁と後身頃領域１Ｒの左側縁が互いに接合され、前身頃領域１Ｆの右側縁と後身頃領域１Ｒの右側縁が互いに接合されることで、図１に示す状態に組み上がる。図１に示されるように、前身頃領域１Ｆの上端縁と後身頃領域１Ｒの上端縁により、胴開口部（ウエスト開口部）２Ｔが形成されている。また、おむつ１には、上記接合が施されない股下領域１Ｂの左側部に左下肢開口部２Ｌが形成され、股下領域１Ｂの右側部に右下肢開口部２Ｒが形成されている。左下肢開口部２Ｌ及び右下肢開口部２Ｒは、おむつ１の装着時に着用者の脚部を挿通させるための開口部である。
【００２２】
着用者の左下肢が左下肢開口部２Ｌに挿通され、着用者の右下肢が右下肢開口部２Ｒに挿通され、着用者の胴部が胴開口部２Ｔに入る（通る）ようにおむつ１が装着されると、前身頃領域１Ｆが着用者の腹部に接すると共に後身頃領域１Ｒが着用者の背部側に接し、股下領域１Ｂが着用者の股部にあてがわれ、更に、左下肢開口部２Ｌと右下肢開口部２Ｒが着用者の大腿部を取り巻いた状態で着用者の身体に固定される。おむつ１がこのようにして着用者の身体に固定されることで、おむつ１を着用した状態での立ち歩きが可能となる。
【００２３】
おむつ１には、液体を吸収して保持することができる吸収体８が主に股下領域１Ｂ付近を中心に配置されている。また、おむつ１には、おむつ１と着用者の肌との間に液体の流出経路となる隙間が形成されるのを抑制するために、左下肢開口部２Ｌ、右下肢開口部２Ｒ、胴開口部２Ｔにそれぞれ、立体ギャザーＧ１Ｌ、立体ギャザーＧ１Ｒ、ウエストギャザーＧ２が設けられている。立体ギャザーＧ１Ｌ，Ｇ１ＲとウエストギャザーＧ２は、糸ゴムの弾性力で着用者の肌に密着するように構成されており、これによって、着用者から排出された排泄液をおむつ１から漏出させることなく吸収部本体１５（吸収体８）に吸収させることができる。
【００２４】
図２及び図３に示すように、おむつ１は、着用者に装着された状態において外表面を形成するカバーシート４Ｆ，４Ｒとパッドカバーシート６を有する。カバーシート４Ｆは、
主におむつ１の前身頃領域１Ｆの外表面を形成するシート部材である。また、パッドカバーシート６は、主におむつ１の股下領域１Ｂの外表面を形成するためのシート部材である。また、カバーシート４Ｒは、主におむつ１の後身頃領域１Ｒの外表面を形成するためのシート部材である。
【００２５】
カバーシート４Ｆ，４Ｒとパッドカバーシート６は、例えば、おむつ１の外表面の補強や手触りの向上のために設けられている。また、カバーシート４Ｆ，４Ｒとパッドカバーシート６は、排泄物の漏れを抑制するために、例えば液不透過性の熱可塑性樹脂からなる不織布によって形成することができる。ここで、液不透過性の熱可塑性樹脂としては、ポリエチレン（ＰＥ）やポリプロピレン（ＰＰ）等が例示できる。また、液不透過性のシートには、液不透過性と透湿性とが発揮されるように、０．１〜数μｍ程度の微細な孔が多数形成されていても良い。
【００２６】
また、おむつ１は、カバーシート４Ｆの肌対向面側に積層されるインナーカバーシート５Ｆと、カバーシート４Ｒの肌対向面側に積層されるインナーカバーシート５Ｒとを有している。本明細書において、「肌対向面」とは、おむつ１を着用者が着用した際に、着用者の肌に対向する方の面を意味する。詳しくは後述するが、インナーカバーシート５Ｆは、カバーシート４Ｆとの層間に線状の伸縮部材である糸ゴムを挟み込んだ状態でカバーシート４Ｆに貼り合わされるシート部材である。インナーカバーシート５Ｆは、カバーシート４Ｆのうち、後述する折返し部４Ｆ５と、外装カバー部４Ｆ１０におけるウエスト第１領域ＲＷ１を除いた部分に対応する形状及び大きさを有するシート部材である。また、インナーカバーシート５Ｒは、カバーシート４Ｒとの層間に線状の伸縮部材である糸ゴムを挟み込んだ状態でカバーシート４Ｆに貼り合わされるシート部材である。インナーカバーシート５Ｒは、カバーシート４Ｒのうち、後述する折返し部４Ｒ５と、外装カバー部４Ｒ１０におけるウエスト第１領域ＲＷ１を除いた部分に対応する形状及び大きさを有するシート部材である。
【００２７】
本実施形態のおむつ１は、吸収部本体１５を備えている。吸収部本体１５は、前身頃領域１Ｆと後身頃領域１Ｒとの間に架橋された状態で保持され、おむつ１の着用時に着用者の股下に配置され、着用者が排泄した尿などの液体を吸収保持する。図２及び図３に示すように、吸収部本体１５は、パッドカバーシート６、バックシート７、吸収体８、センターシート９、サイドシート１０Ｌ，１０Ｒ等を含み、これらによって一体に形成されている。
【００２８】
バックシート７、吸収体８、センターシート９は、パッドカバーシート６の肌対向面に対して順に積層されている。パッドカバーシート６は、着用者の前身頃から股下を経由して後身頃へ届く長さを長手方向に有しており、当該長手方向に対し直交する幅方向に所定の横幅を有する矩形平面を有するシート部材である。また、バックシート７、吸収体８、センターシート９は、何れもパッドカバーシート６と同様に矩形平面を有するシート部材であり、長手方向がパッドカバーシート６の長手方向と一致する状態でパッドカバーシート６に対してこれらの順に積層されている。
【００２９】
吸収体８は、尿などの液体を吸収し、吸収した液体を保持するための部材である。吸収体８は、液不透過性のバックシート７と液透過性のセンターシート９との間に配置される。吸収体８は、パルプ繊維、レーヨン繊維、またはコットン繊維のようなセルロース系繊維の短繊維や、ポリエチレン、ポリプロピレン、またはポリエチレンテレフタレート等の合成繊維に親水化処理を施した短繊維の隙間に、水を吸収し保持することのできる架橋構造を持つ親水性の高吸収性重合体等の粒状の吸収性樹脂を保持させた構造を有していても良い。これにより、吸収体８は、着用者から排泄された液体を吸収すると、短繊維内の隙間に保持された吸収性樹脂を膨潤させて該液体を短繊維内に保持することができる。なお
、吸収体８は、１枚のマットからなる単層構造であってもよいし、複数枚のマットを重ね合わせた積層構造であってもよい。また、吸収体８は、目的に応じた適宜の形状を採用することができる。吸収体８の形状としては、例えば、矩形状、中央部付近が括れた砂時計型、その他各種の形状が挙げられる。
【００３０】
センターシート９は、着用者の股下の肌に直接当たり、尿などの液体を吸収体８へ透過させるためのシート部材であり、吸収体８の吸水面を被覆するように積層配置されている。本実施形態におけるセンターシート９は、柔軟性の高い液透過性材料によって形成されている。センターシート９を形成する液透過性材料としては、例えば、織布、不織布、多孔質フィルム等が例示できる。また、センターシート９は親水性を有していてもよい。
【００３１】
バックシート７は、センターシート９を透過し吸収体８に吸収された液体が、おむつ１の外側へ漏出することを抑制するためのシート部材である。このため、バックシート７は、液不透過性材料によって形成されている。バックシート７を形成する液不透過性材料としては、ポリエチレン樹脂からなる液不透過性のフィルムなどを例示できる。また、バックシート７は、通気性を確保するために、多数の微細孔が形成された微多孔性ポリエチレンフィルムによって形成されても良い。
【００３２】
パッドカバーシート６は、バックシート７を補強し、かつ、その肌触りを良くするための部材であり、バックシート７に貼り合されている。パッドカバーシート６を形成する材料としては、織布や不織布が例示できる。また、パッドカバーシート６は、ポリエチレン、ポリプロピレン、ポリエステルのような熱可塑性樹脂からなる不織布又は湿式不織布等であっても良い。
【００３３】
吸収部本体１５におけるサイドシート１０Ｌ，１０Ｒは、上述した立体ギャザーＧ１Ｌ，Ｇ１Ｒを形成するための細長い帯状部材である。サイドシート１０Ｌ，１０Ｒは、センターシート９の長辺部分に沿って延設されている。また、サイドシート１０Ｌ，１０Ｒには、長手方向に沿って糸ゴム１０Ｌ１，１０Ｒ１が接着されている。前身頃領域１Ｆの左側縁を形成するカバーシート４Ｆの左側縁４Ｆ７と後身頃領域１Ｒの左側縁を形成するカバーシート４Ｒの左側縁４Ｒ７が互いに接合され、且つ、前身頃領域１Ｆの右側縁を形成するカバーシート４Ｆの右側縁４Ｆ８と後身頃領域１Ｒの右側縁を形成するカバーシート４Ｒの右側縁４Ｒ８が互いに接合されることで図１に示すおむつ１が組み上がると、サイドシート１０Ｌ，１０Ｒが糸ゴム１０Ｌ１，１０Ｒ１の収縮力によって長手方向に引き寄せられる結果、折り返し線１０Ｌ２，１０Ｒ２に沿ってセンターシート９から立ち上がる。
【００３４】
これにより、左下肢開口部２Ｌ及び右下肢開口部２Ｒからの液体の流出を防ぐ立体ギャザーＧ１Ｌ，Ｇ１Ｒが形成される。カバーシート４Ｆ，４Ｒの側縁同士の接合方法は特に限定されないが、例えば、ヒートシール、高周波シール、超音波シール等が例示できる。なお、吸収部本体１５は、前身頃領域１Ｆから後身頃領域１Ｒに至るまで延在している。
【００３５】
次に、おむつ１の詳細構造について説明する。図３に示すように、カバーシート４Ｆは、折り返し線４Ｆ６を境に先端側が内側に折り返されることで、折返し部４Ｆ５が形成されている。以下、カバーシート４Ｆのうち、折返し部４Ｆ５を除く部分を外装カバー部４Ｆ１０と呼ぶ。カバーシート４Ｆの外装カバー部４Ｆ１０は、おむつ１の外表面を形成する。カバーシート４Ｆの折り返し線４Ｆ６は、おむつ１が組み上がった状態における胴開口部２Ｔの胴開口端縁４Ｆ９を形成する。
【００３６】
カバーシート４Ｆにおける折返し部４Ｆ５は、外装カバー部４Ｆ１０との層間に伸長状態の第１糸ゴム４Ｆ１を配置している。また、カバーシート４Ｆにおける折返し部４Ｆ５
の先端側は、インナーカバーシート５Ｆ、パッドカバーシート６、バックシート７、及び吸収体８の長手方向における一端側を外装カバー部４Ｆ１０との層間に挟み込んだ状態で、吸収体８の一端部に重ねられた状態で接着されている。なお、本明細書において、一の部材と他の部材とを重ねると表現する際の態様には、部材同士が互いに全面的に接触する状態で重なる態様に限定されるものでなく、一の部材の一部と他の部材の全体が重なる態様、或いは、一の部材と他の部材の一部同士が重なる態様等を含む概念である。
【００３７】
更に、図３に示すように、カバーシート４Ｆにおける外装カバー部４Ｆ１０とインナーカバーシート５Ｆとの層間には、折り返し線４Ｆ６側から第２糸ゴム４Ｆ２、第３糸ゴム４Ｆ３、第４糸ゴム４Ｆ４が、これらの順に配置されており、外装カバー部４Ｆ１０とインナーカバーシート５Ｆに挟み込まれた状態で接着されている。図３に示すように、カバーシート４Ｆにおける第１糸ゴム４Ｆ１〜第４糸ゴム４Ｆ４は、各々が複数本ずつ平行に配置されており、いずれもカバーシート４Ｆの幅方向（胴回り方向）に沿って延設されている。
【００３８】
一方、カバーシート４Ｒについても、折り返し線４Ｒ６を境に先端側が内側に折り返されることで、折返し部４Ｒ５が形成されている。以下、カバーシート４Ｒのうち、折返し部４Ｒ５を除く部分を外装カバー部４Ｒ１０と呼ぶ。カバーシート４Ｒの外装カバー部４Ｒ１０は、おむつ１の外表面を形成する。カバーシート４Ｒの折り返し線４Ｒ６は、おむつ１が組み上がった状態における胴開口部２Ｔの胴開口端縁４Ｒ９を形成する。カバーシート４Ｒにおける折返し部４Ｒ５は、外装カバー部４Ｒ１０との層間に伸長状態の第１糸ゴム４Ｒ１を配置している。また、カバーシート４Ｒにおける折返し部４Ｒ５の先端側は、インナーカバーシート５Ｒ、パッドカバーシート６、バックシート７、及び吸収体８の長手方向における他端側を外装カバー部４Ｒ１０との層間に挟み込んだ状態で、吸収体８の他端部に重ねられた状態で接着されている。
【００３９】
更に、図３に示すように、カバーシート４Ｒにおける外装カバー部４Ｒ１０とインナーカバーシート５Ｒとの層間には、折り返し線４Ｒ６側から第２糸ゴム４Ｒ２、第３糸ゴム４Ｆ３、第４糸ゴム４Ｒ４がこれらの順に配置されており、外装カバー部４Ｒ１０とインナーカバーシート５Ｒとに挟まれた状態で接着されている。図３に示すように、カバーシート４Ｒにおける第１糸ゴム４Ｒ１〜第４糸ゴム４Ｒ４は、各々が複数本ずつ平行に配置されており、いずれもカバーシート４Ｒの幅方向（胴回り方向）に沿って延設されている。
【００４０】
以下、おむつ１のカバーシート４Ｆ，４Ｒにおいて、第１糸ゴム４Ｆ１，４Ｒ１、及び第２糸ゴム４Ｆ２，４Ｒ２が配置されている領域を「ウエスト領域ＲＷ」と呼ぶ。おむつ１のウエスト領域ＲＷは、胴開口部２Ｔを形成する胴開口端縁４Ｆ９，４Ｒ９近傍に位置し、ウエストギャザーＧ２が形成される領域である。更に、ウエスト領域ＲＷのうち、第１糸ゴム４Ｆ１，４Ｒ１が配置されている領域を「ウエスト第１領域ＲＷ１」（第１領域）と呼び、第２糸ゴム４Ｆ２，４Ｒ２が配置されている領域を「ウエスト第２領域ＲＷ２」（第２領域）と呼ぶ。
【００４１】
また、おむつ１のカバーシート４Ｆ，４Ｒにおいて、第３糸ゴム４Ｆ３，４Ｒ３、及び第４糸ゴム４Ｆ４，４Ｒ４が配置されている領域を「タミー領域ＲＴ」と呼ぶ。タミー領域ＲＴは、ウエスト領域ＲＷの下方に位置する領域である。タミー領域ＲＴのうち、第３糸ゴム４Ｆ３，４Ｒ３が配置されている領域を「タミー第１領域ＲＴ１」と呼び、第４糸ゴム４Ｆ４，４Ｒ４が配置されている領域を「タミー第２領域ＲＴ２」と呼ぶ。
【００４２】
ここで、ウエスト第１領域ＲＷ１における第１糸ゴム４Ｆ１，４Ｒ１は、例えばおむつ１の組み立て過程において、伸長された状態で接着剤を塗布された後、外装カバー部４Ｆ
１０，４Ｒ１０と折返し部４Ｆ５，４Ｒ５の間に挟み込まれることでこれらの層間に接着される。同様に、ウエスト第２領域ＲＷ２における第２糸ゴム４Ｆ２，４Ｒ２と、タミー領域ＲＴにおける第３糸ゴム４Ｆ３，４Ｒ３及び第４糸ゴム４Ｆ４，４Ｒ４は、例えばおむつ１の組み立て過程において、伸長された状態で接着剤が塗布された後、カバーシート４Ｆ，４Ｒの外装カバー部４Ｆ１０，４Ｒ１０とインナーカバーシート５Ｆ，５Ｒの間に挟み込まれることでこれらの層間に接着される。
【００４３】
ここで、カバーシート４Ｆ，４Ｒにおける外装カバー部４Ｆ１０，４Ｒ１０とインナーカバーシート５Ｆ，５Ｒとの層間に伸長状態で挟み込まれて接着されたウエスト第１領域ＲＷ１の第１糸ゴム４Ｆ１，４Ｒ１が収縮すると、それに追従して外装カバー部４Ｆ１０，４Ｒ１０と折返し部４Ｆ５，４Ｒ５のうち、ウエスト第１領域ＲＷ１に対応する部分がひだ状に連続的に撓むことで、ウエスト第１領域ＲＷ１を胴回り方向に収縮させる第１収縮部Ｓ１が形成される。
【００４４】
ウエスト第２領域ＲＷ２においても、外装カバー部４Ｆ１０，４Ｒ１０とインナーカバーシート５Ｆ，５Ｒとの層間に伸長状態で挟み込まれて接着された第２糸ゴム４Ｆ２，４Ｒ２が収縮すると、それに追従して外装カバー部４Ｆ１０，４Ｒ１０とインナーカバーシート５Ｆ，５Ｒのうち、ウエスト第２領域ＲＷ２に対応する部分がひだ状に連続的に撓むことで、ウエスト第２領域ＲＷ２を胴回り方向に収縮させる第２収縮部Ｓ２（本願でいう「胴開口部上側収縮部」の一例である）が形成される。
【００４５】
本実施形態においては、主としてウエスト第１領域ＲＷ１に形成される第１収縮部Ｓ１とウエスト第２領域ＲＷ２に形成される第２収縮部Ｓ２によってウエストギャザーＧ２が形成されている。ウエストギャザーＧ２は、第１糸ゴム４Ｆ１，４Ｒ１及び第２糸ゴム４Ｆ２，４Ｒ２の収縮力によって、着用者のウエスト回りにおけるおむつ１のフィット性を向上させる。ウエストギャザーＧ２の第１収縮部Ｓ１には、複数の第１糸ゴム４Ｆ１，４Ｒ１が互いに平行に、且つ一定間隔Ａ１で配置されている。また、ウエストギャザーＧ２の第２収縮部Ｓ２には、複数の第２糸ゴム４Ｆ２，４Ｒ２が互いに平行且つ一定の間隔Ａ２を空けて設けられている。なお、ここでいう糸ゴム同士の間隔とは、隣の糸ゴム同士がおむつの長手方向（身頃領域と後身頃領域を結ぶ方向）に離間する寸法を意味する。
【００４６】
また、本実施形態において、ウエスト第１領域ＲＷ１の第１糸ゴム４Ｆ１，４Ｒ１及びウエスト第２領域ＲＷ２の第２糸ゴム４Ｆ２，４Ｒ２は、カバーシート４Ｆ，４Ｒの全幅区間に亘って延在している。そのため、おむつ１の完成後において、第１糸ゴム４Ｆ１，４Ｒ１及び第２糸ゴム４Ｆ２，４Ｒ２は、胴開口部２Ｔに沿って周回する実質的に環状の伸縮部材を形成する。言い換えると、おむつ１の完成後において、ウエストギャザーＧ２（第１収縮部Ｓ１、第２収縮部Ｓ２）が胴回り方向の全周に亘って形成される。
【００４７】
タミー第１領域ＲＴ１においても、カバーシート４Ｆ，４Ｒにおける外装カバー部４Ｆ１０，４Ｒ１０とインナーカバーシート５Ｆ，５Ｒとの層間に伸長状態で挟み込まれて接着された第３糸ゴム４Ｆ３，４Ｒ３が収縮すると、それに追従してカバーシート４Ｆ，４Ｒにおける外装カバー部４Ｆ１０，４Ｒ１０とインナーカバーシート５Ｆ，５Ｒのうち、タミー第１領域ＲＴ１に対応する部分がひだ状に連続的に撓むことで、タミー第１領域ＲＴ１を胴回り方向に収縮させる第３収縮部Ｓ３（本願でいう「胴開口部下側収縮部」の一例である）が形成される。第３収縮部Ｓ３は、おむつ１の着用時に着用者の腰骨の高さ近傍にフィットする領域であり、胴開口部２Ｔの開口部端縁から２０ｍｍ以上４０ｍｍ以下の範囲内を含む領域に設けられている。
【００４８】
また、タミー第２領域ＲＴ２においても、カバーシート４Ｆ，４Ｒにおける外装カバー部４Ｆ１０，４Ｒ１０とインナーカバーシート５Ｆ，５Ｒとの層間に伸長状態で挟み込ま
れて接着された第４糸ゴム４Ｆ４，４Ｒ４が収縮すると、それに追従してカバーシート４Ｆ，４Ｒにおける外装カバー部４Ｆ１０，４Ｒ１０とインナーカバーシート５Ｆ，５Ｒのうち、タミー第２領域ＲＴ２に対応する部分がひだ状に連続的に撓むことで、タミー第２領域ＲＴ２を胴回り方向に収縮させる第４収縮部Ｓ４が形成される。そして、本実施形態においては、主としてタミー第１領域ＲＴ１に形成される第３収縮部Ｓ３とタミー第２領域ＲＴ２に形成される第４収縮部Ｓ４によってタミーギャザーＧ３が形成されている。タミーギャザーＧ３は、第３糸ゴム４Ｆ３，４Ｒ３及び第４糸ゴム４Ｆ４，４Ｒ４の収縮力によって、例えば着用者の下腹部回りにおけるおむつ１のフィット性を向上させている。
【００４９】
タミーギャザーＧ３の第３収縮部Ｓ３に配置される第３糸ゴム４Ｆ３，４Ｒ３は、互いに平行に、且つ一定の間隔Ａ３を空けて設けられている。また、タミーギャザーＧ３の第４収縮部Ｓ４に配置される第４糸ゴム４Ｆ４，４Ｒ４も、互いに平行に、且つ一定の間隔Ａ４を空けて設けられている。そして、本実施形態では、タミーギャザーＧ３の第３収縮部Ｓ３における第３糸ゴム４Ｆ３，４Ｒ３の間隔Ａ３が、ウエストギャザーＧ２の第２収縮部Ｓ２における第２糸ゴム４Ｆ２，４Ｒ２の間隔Ａ２よりも大きな寸法に設定されており、これにより、胴開口部２Ｔを広げておむつ１を装着する際、着用者の腰骨に当接する部位となるタミーギャザーＧ３の第３収縮部Ｓ３を、ウエストギャザーＧ２の第２収縮部Ｓ２よりも相対的に広げやすくしている。
【００５０】
また、本実施形態においては、第１収縮部Ｓ１〜第４収縮部Ｓ４を形成するために、各糸ゴム４Ｆ１，４Ｒ１、４Ｆ２，４Ｒ２、４Ｆ３，４Ｒ３、４Ｆ４，４Ｒ４をカバーシート４Ｆ，４Ｒの幅方向（胴回り方向）に沿って延設したが、線状の伸縮部材であれば糸ゴムに限らず、他の材料、形態を用いても良い。また、本明細書において「線状」とは、細長く特定の方向に延びる態様を表すものであり、帯状、短冊状の形状を含む概念である。なお、糸ゴムの材料としては、天然ゴム、合成ゴム等が例示できるが、特定の材料には限定されない。
【００５１】
次に、おむつ１の通気路形成シート１１Ｆ，１１Ｒについて説明する。図２及び図３に示すように、おむつ１は、カバーシート４Ｆ，４Ｒにおける折返し部４Ｆ５，４Ｒ５と、吸収部本体１５におけるパッドカバーシート６、センターシート９等の長手方向端部領域において、当該折返し部４Ｆ５，４Ｒ５に積層配置される通気路形成シート１１Ｆ，１１Ｒを備える。通気路形成シート１１Ｆ，１１Ｒは、おむつ１のウエストギャザーＧ２及びタミーギャザーＧ３における肌当接面を形成する。「肌当接面」とは、おむつ１の着用時に、着用者の肌に直接当たる面、すなわちおむつ１の最内面を意味する。
【００５２】
図４は、実施形態に係るおむつ１の通気路形成シート１１Ｆ，１１Ｒの設置態様について説明する図である。図４の（Ａ）は、ウエストギャザーＧ２の第１収縮部Ｓ１をおむつ１の内部空間側から眺めた状態を示す図である。また、図４の（Ｂ）は、おむつ１の側方から見た場合のウエストギャザーＧ２の第１収縮部Ｓ１内の内部構造を模式的に示す図である。また、図４の（Ｃ）は、おむつ１の上方（すなわち、（Ｂ）のＡ矢視方向）からウエストギャザーＧ２の第１収縮部Ｓ１を眺めた状態を示す図である。図４の（Ａ）及び（Ｃ）は、便宜上、ウエストギャザーＧ２における第１収縮部Ｓ１が収縮する前の状態を示している。また、図４の（Ｄ）は、収縮後におけるウエストギャザーＧ２の第１収縮部Ｓ１を上方から眺めた状態を示す図である。
【００５３】
通気路形成シート１１Ｆ，１１Ｒは、少なくとも第１収縮部Ｓ１、第２収縮部Ｓ２及び第３収縮部Ｓ３に対応する部位に配置されており、符号Ｓによって示される接合部を介して、パッドカバーシート６における長手方向の端部領域及び折返し部４Ｆ５，４Ｒ５等に接合されている。図５は、通気路形成シート１１Ｆ，１１Ｒを接合している接合部Ｓの部位を示した図である。本実施形態では、熱可塑性樹脂によって形成されたカバーシート４
Ｆ，４Ｒの折返し部４Ｆ５，４Ｒ５及びパッドカバーシート６に重ねた通気路形成シート１１Ｆ，１１Ｒを、超音波溶着で接合することにより、接合部Ｓを形成している。図４（Ａ）や図５に示されるように、カバーシート４Ｆ，４Ｒの胴開口端縁４Ｆ９，４Ｒ９から胴回り方向（幅方向）に直交する長手方向に沿って複数の接合部Ｓが間欠的に配置されることで、おむつ１の長手方向に延びる線状接合部ＳＬが形成されている。言い換えると、１つの線状接合部ＳＬは、おむつ１の長手方向に沿って間欠的に配置される複数の接合部Ｓの集合体として形成されている。ここで、「間欠的」に配置されるとは、非連続的、或いは断続的に配置される態様を意味する。
【００５４】
図４（Ａ）に示すように、ウエストギャザーＧ２の第１収縮部Ｓ１には、複数本の線状接合部ＳＬが、カバーシート４Ｆ，４Ｒの胴回り方向（幅方向）に沿って間欠的に配置されている。図４（Ａ）に示す例では、各線状接合部ＳＬが互いに平行に設けられており、線状接合部ＳＬ同士の間隔が大小交互となるように設定されている。つまり、１組の線状接合部ＳＬによって形成される二重線が胴回り方向（幅方向）に等間隔で並ぶような形態で線状接合部ＳＬが間欠的に配置されている。なお、図３（Ａ）には、線状接合部ＳＬがおむつ１の長手方向に延在する範囲をハッチングにて図示している。図示のように、線状接合部ＳＬは、第１収縮部Ｓ１が形成されるウエスト第１領域ＲＷ１及び第２収縮部Ｓ２が形成されるウエスト第２領域ＲＷ２に跨って延在している。
【００５５】
ウエストギャザーＧ２の第１収縮部Ｓ１と第２収縮部Ｓ２及びタミーギャザーＧ３の第３収縮部Ｓ３における通気路形成シート１１Ｆ，１１Ｒの超音波接合は、ウエストギャザーＧ２の第１糸ゴム４Ｆ１，４Ｒ１及び第２糸ゴム４Ｆ２，４Ｒ２と、タミーギャザーＧ３の第３糸ゴム４Ｆ３，４Ｒ３及び第４糸ゴム４Ｆ４，４Ｒ４が伸長状態にある状態で行われる。そして、ウエストギャザーＧ２の第１収縮部Ｓ１と第２収縮部Ｓ２及びタミーギャザーＧ３の第３収縮部Ｓ３における通気路形成シート１１Ｆ，１１Ｒの接合が完了した後に、シート層間に挟まれて固着された第１糸ゴム４Ｆ１，４Ｒ１、第２糸ゴム４Ｆ２，４Ｒ２、第３糸ゴム４Ｆ３，４Ｒ３及び第４糸ゴム４Ｆ４，４Ｒ４の伸長状態が解除される。その結果、ウエストギャザーＧ２とタミーギャザーＧ３が収縮し、通気路形成シート１１Ｆ，１１Ｒにおける線状接合部ＳＬ同士の間隔が狭められる。これにより、通気路形成シート１１Ｆ，１１Ｒのうち、線状接合部ＳＬ同士の間に位置する非接合領域１１０が撓むことで波形に変形する。
【００５６】
その結果、線状接合部ＳＬ同士の間に位置する非接合領域１１０が離間することで、図４の（Ｄ）に示されるように折返し部４Ｆ５，４Ｒ５等と通気路形成シート１１Ｆ，１１Ｒの非接合領域１１０とによって囲まれる第１通気路１１１が形成される。また、通気路形成シート１１Ｆ，１１Ｒの肌当接面１１ａ側に第２通気路１１２が形成される。図４（Ｄ）において符号ＳＳで示す二点鎖線は、おむつ１を着用者が着用した場合に、通気路形成シート１１Ｆ，１１Ｒに当接する肌面を仮想線として示したものである。第２通気路１１２は、おむつ１を着用者が装着した際に、通気路形成シート１１Ｆ，１１Ｒの肌当接面１１ａと着用者の肌との間に形成される隙間として形成される。おむつ１の内部空間における湿気は、ウエストギャザーＧ２の第１収縮部Ｓ１と第２収縮部Ｓ２及びタミーギャザーＧ３の第３収縮部Ｓ３に形成される第１通気路１１１及び第２通気路１１２を通じて外部に排出することができる。第１通気路１１１は、おむつ１の内部空間から通気路形成シート１１Ｆ，１１Ｒを透過した湿気が通る通気路である。一方、第２通気路１１２は、おむつ１の内部空間と外部空間を直接的に連通する通気経路であり、おむつ１内の湿気をより円滑に排出することができる。
【００５７】
図４の（Ｄ）に示されるように、ウエストギャザーＧ２及びタミーギャザＧ３の収縮後においては、第１収縮部Ｓ１を形成する、相対的に大きな第１襞４１と、相対的に小さな第２襞４２とが交互に形成されている。また、波形に撓み変形した通気路形成シート１１
Ｆ，１１Ｒも、相対的に大きな第１襞１１３と、相対的に小さな第２襞１１４とが交互に形成されている。これは、線状接合部ＳＬ同士の間隔が大小交互となるように設定されていることによるものである。すなわち、間隔の広い一組の線状接合部ＳＬによって大きな第１襞４１，１１３が形成され、間隔の狭い一組の線状接合部ＳＬによって小さな第２襞４２，１１４が形成される。
【００５８】
ここで、波形に撓み変形した通気路形成シート１１Ｆ，１１Ｒの第１襞１１３は、第１収縮部Ｓ１を形成する第１襞４１と協働して大きな第１通気路１１１を確保するために寄与する。一方、通気路形成シート１１Ｆ，１１Ｒの第２襞１１４は、第１収縮部Ｓ１を形成する第２襞４２と協働して第１通気路１１１を形成すると共に、胴回り方向（幅方向）に隣接する第１襞１１３同士を適正に離間させ、第２通気路１１２の通気断面を確保するために寄与する。本実施形態では、ウエストギャザーＧ２とタミーギャザーＧ３の収縮に追従して波型に変形する通気路形成シート１１Ｆ，１１Ｒによって形成されるフルート構造をウエストギャザーＧ２の第１収縮部Ｓ１と第２収縮部Ｓ２及びタミーギャザーＧ３の第３収縮部Ｓ３の肌当接面側に設けることで、第１通気路１１１及び第２通気路１１２を通じておむつ１内の湿気を外部に効率的に排出することができる。また、本実施形態においては、線状接合部ＳＬは、おむつ１の長手方向に沿って間欠的に配置される複数の接合部Ｓの集合体として形成されているため、接合部Ｓ同士の隙間を通じて、隣接する第１通気路１１１同士が連通されている。そのため、隣接する第１通気路１１１間の通気性の向上を図り、局部的な蒸れ感を着用者が受け難くすることができる。
【００５９】
更に、本実施形態における通気路形成シート１１Ｆ，１１Ｒには、通気用の微細な通気孔１１Ｆ１，１１Ｒ１が多数設けられている。ここで、通気孔とは、シートの一方の面の側の空間と他方の面の側の空間とを連通させる開口部を意味し、その形状は特に限定されない。よって、通気孔１１Ｆ１，１１Ｒ１としては、例えば、円形、楕円形、多角形（三角形、四角形等）等の形状の開口部を適用することができる。通気路形成シート１１Ｆ，１１Ｒへの通気孔１１Ｆ１，１１Ｒ１の形成は、該通気路形成シート１１Ｆ，１１Ｒが通気性を有しない素材であることを意味するものでは無く、該通気路形成シート１１Ｆ，１１Ｒは通気性を有する素材と通気性を有しない素材の何れであってもよい。通気路形成シート１１Ｆ，１１Ｒは、通気性や液透過性を有する素材であることが好ましいが、例えば、非通気性の素材であってもよい。通気孔１１Ｆ１，１１Ｒ１の大きさや個数は特に限定されないが、例えば、開口面積が０．５〜１０ｍｍ２の孔であれば５〜２００個程度形成されることが好ましい。
【００６０】
そして、本発明者等は鋭意検討を行った結果、第２収縮部Ｓ２を形成する第２糸ゴム４Ｆ２，４Ｒ２同士の間隔Ａ２よりも、第３収縮部Ｓ３を形成する第３糸ゴム４Ｆ３，４Ｒ３同士の間隔Ａ３を大きくすることで、おむつ１が適正な装着状態となるように第３収縮部Ｓ３を着用者の腰骨に誘導し、且つ、着用者の動きに合わせて伸縮する第３収縮部Ｓ３における第１通気路１１１及び第２通気路１１２の伸縮による変形に伴うポンプ効果がおむつ１内部からの湿気の排出を促進させることを見出すに至った。特に、間隔Ａ３を６．５ｍｍ以上１２ｍｍ以下に設定することで、間隔Ａ３がこれより狭い間隔に設定される場合に比べて、通気路形成シート１１Ｆ，１１Ｒが第３糸ゴム４Ｆ３，４Ｒ３によって拘束される度合いが低下し、拘束の度合いの低下により第１通気路１１１及び第２通気路１１２が大きくなって第３収縮部Ｓ３におけるポンプ効果が高まるという知見を得た。
【００６１】
図６は、各収縮部における収縮力の大きさを示した図である。図６に示す白抜きの矢印は、収縮力の大きさを示している。本実施形態のおむつ１は、第３収縮部Ｓ３を形成する第３糸ゴム４Ｆ３，４Ｒ３同士の間隔Ａ３が、第２収縮部Ｓ２を形成する第２糸ゴム４Ｆ２，４Ｒ２同士の間隔Ａ２よりも大きい。よって、本実施形態のおむつ１は、図６に示されるように、第３収縮部Ｓ３の収縮力が、第１収縮部Ｓ１及び第２収縮部Ｓ２の収縮力よ
りも弱い。そして、第３収縮部Ｓ３は、おむつ１が適正な位置に装着された状態において、着用者の腰骨に当接するように設計されており、また、腰骨は図６に示されるように着用者の胴回りにおいて最も横幅の大きい部位である。また、第３収縮部Ｓ３は、一般的な成人の人差し指の第１関節と第２関節との間から指先端までの距離である２０ｍｍ以上４０ｍｍ以下の範囲内に一致するよう、胴開口部２Ｔの開口部端縁から２０ｍｍ以上４０ｍｍ以下の範囲内を含む領域に設けられている。したがって、第３収縮部Ｓ３の収縮力が、第１収縮部Ｓ１及び第２収縮部Ｓ２の収縮力よりも弱い本実施形態のおむつ１では、着用者に装着する際に胴開口部２Ｔが手で広げられた際、第３収縮部Ｓ３が最も広がるため、装着作業を行っている人の人差し指の第２関節が胴開口部２Ｔの開口部端縁付近にかかり、第１収縮部Ｓ１と第２収縮部Ｓ２が人差し指の第１関節と第２関節の間に位置し、第１収縮部Ｓ１及び第２収縮部Ｓ２よりも広がりやすい第３収縮部Ｓ３に人差し指の先端が引っ掛かるような状態となる。そして、着用者の胴回りにおいて最も横幅の大きい腰骨が、最も広がっている第３収縮部Ｓ３に自然に収まるように装着される。この結果、第３収縮部Ｓ３が着用者の腰骨に当接するように設計されているおむつ１が着用者に適正な位置で装着されることになる。
【００６２】
図７は、ウエストギャザーＧ２の第２収縮部Ｓ２とタミーギャザーＧ３の第３収縮部Ｓ３に形成される襞を説明する図である。糸ゴム同士の間に形成される襞は、糸ゴムからの距離が近い箇所ほど糸ゴムによって拘束される度合いが高くなる。よって、第３糸ゴム４Ｆ３，４Ｒ３同士の間に形成される通気路形成シート１１Ｆ，１１Ｒの第１襞１１３及び第２襞１１４は、第３糸ゴム４Ｆ３，４Ｒ３同士の間隔Ａ３より間隔の狭い間隔Ａ２で並ぶ第２糸ゴム４Ｆ２，４Ｒ２同士の間に形成される通気路形成シート１１Ｆ，１１Ｒの第１襞１１３及び第２襞１１４よりも拘束されていない。よって、タミーギャザーＧ３の第３収縮部Ｓ３に形成される襞は、ウエストギャザーＧ２の第２収縮部Ｓ２に形成される襞より大きくなる。このため、本実施形態に係るおむつ１によれば、タミーギャザーＧ３の部分において第１襞１１３及び第２襞１１４によって形成される第１通気路１１１及び第２通気路１１２の大きさが他の部位より大きくなる。そして、タミーギャザーＧ３は着用者の動作によって伸縮する部分であるため、タミーギャザーＧ３の部分に形成される第１通気路１１１及び第２通気路１１２は、着用者の動作に連動して拡縮することによりポンプ機能を発揮し、おむつ１内の湿気をより円滑に排出する。また、着用者の腰骨の部分は着用者の胴回りにおいて最も横幅の大きい部分であり、着用者の周囲のものが接触して外圧が加わりやすい箇所でもあるため、腰骨の部分に対応するタミーギャザーＧ３では第１通気路１１１及び第２通気路１１２が外圧で拡縮することによるポンプ効果も期待される。これにより、おむつ１の内部空間をより快適な環境にすることができる。
【００６３】
また、本実施形態に係るおむつ１によれば、タミーギャザーＧ３の部分に形成される襞が、ウエストギャザーＧ２の第２収縮部Ｓ２に形成される襞より大きいため、タミーギャザーＧ３の部分の襞が他よりも目立ち、タミーギャザーＧ３を着用者の胴回りにおいて最も横幅の大きい腰骨に当接するように着用者へ自然に意識させることができる。また、タミーギャザーＧ３の部分に形成される襞が、ウエストギャザーＧ２の第２収縮部Ｓ２に形成される襞より大きいため、胴開口部２Ｔを広げる際にタミーギャザーＧ３の部分が広がりやすい。このため、おむつ１を装着する際、比較的広がりやすいタミーギャザーＧ３の部分が腰骨に当接するようにおむつ１が自然に位置合わせされやすい。
【００６４】
ところで、上記実施形態のおむつ１は、例えば、以下のように変形してもよい。図８は、変形例に係るおむつ１を展開した状態を模式的に示した図である。本変形例では、第１収縮部Ｓ１における第１糸ゴム４Ｆ１，４Ｒ１の間隔Ａ１が、第２収縮部Ｓ２における第２糸ゴム４Ｆ２，４Ｒ２の間隔Ａ２よりも大きな寸法に設定されており、これによりおむつ１の内部空間の湿気を外部に排出する湿気排出機能や、胴開口部２Ｔを広げやすくする機能を第１収縮部Ｓ１が担保している。一方、ウエストギャザーＧ２の第２収縮部Ｓ２は
、第１収縮部Ｓ１に比べて胴回り方向への収縮力を高めることで、おむつ１の着用時におけるずれ落ちを抑制する位置保持機能（ずれ落ち抑制機能）を担保するようにしている。
【００６５】
図９は、ウエストギャザーＧ２の第１収縮部Ｓ１及び第２収縮部Ｓ２とタミーギャザーＧ３の第３収縮部Ｓ３に形成される襞を説明する図である。上述したように、糸ゴム同士の間に形成される襞は、糸ゴムからの距離が近い箇所ほど糸ゴムによって拘束される度合いが高くなる。よって、第１糸ゴム４Ｆ１，４Ｒ１同士の間に形成される通気路形成シート１１Ｆ，１１Ｒの第１襞１１３及び第２襞１１４は、第１糸ゴム４Ｆ１，４Ｒ１同士の間隔Ａ１より間隔の狭い間隔Ａ２で並ぶ第２糸ゴム４Ｆ２，４Ｒ２同士の間に形成される通気路形成シート１１Ｆ，１１Ｒの第１襞１１３及び第２襞１１４よりも拘束されていない。よって、ウエストギャザーＧ２の第１収縮部Ｓ１に形成される襞は、ウエストギャザーＧ２の第２収縮部Ｓ２に形成される襞より大きくなる。このため、本変形例に係るおむつ１によれば、ウエストギャザーＧ２の第１収縮部Ｓ１の部分において第１襞１１３及び第２襞１１４によって形成される第１通気路１１１及び第２通気路１１２の大きさが、第２収縮部Ｓ２の部分より大きくなる。そして、ウエストギャザーＧ２は着用者の動作によって伸縮する部分であるため、第１通気路１１１及び第２通気路１１２には、ウエストギャザーＧ２の第１収縮部Ｓ１の部分とタミーギャザーＧ３の部分の２箇所でそれぞれポンプ機能が発揮され、おむつ１内の湿気をより円滑に排出する（ダブルポンプ機能）。これにより、おむつ１の内部空間をより快適な環境にすることができる。
【００６６】
ところで、上記のおむつ１は、カバーシート４Ｆ，４Ｒの折り返し線４Ｆ６，４Ｒ６に、直線状に入れられた細かい切れ目によって貫通形成される通気孔が点線状に並んでいてもよい。この場合、折り返し線４Ｆ６，４Ｒ６に形成される点線状の通気孔は、着用者の指が入らない大きさとなっていることが好ましい。例えば、５ｍｍ以下の長さの切れ目によって形成される通気孔であれば、一般的な乳幼児の指が入ることはない。また、折り返し線４Ｆ６，４Ｒ６は、おむつ１の通常の使用状態によって、カバーシート４Ｆ,４Ｒが
折り返し線４Ｆ６，４Ｒ６を境界にして切り裂けることが無いように、点線状の通気孔を形成する切れ目同士の間隔が所定の長さを有していることが好ましい。カバーシート４Ｆ，４Ｒを構成する素材の強度にもよるが、胴回りに求められる伸縮性と着用感を損なわない坪量が８〜５０ｇ／ｍ２程度のシートであれば、切れ目同士の間隔は、２ｍｍ以上であることが好ましい。
【００６７】
図１０は、ウエストギャザーＧ２が収縮した際に胴開口部２Ｔの開口部端縁に形成される通気孔を示した図である。図１０では、カバーシート４Ｆの部分を示しているが、カバーシート４Ｒについても同様である。本変形例のおむつ１では、カバーシート４Ｆ，４Ｒの折り返し線４Ｆ６，４Ｒ６が、直線状に入れられた細かい切れ目によって形成される点線状の通気孔であるため、ウエストギャザー３Ｒが糸ゴム４Ｆ１，４Ｆ２の収縮力で縮むと、折り返し線４Ｆ６，４Ｒ６を形成する細かい切れ目が広がり、切れ目同士の間にあるつなぎ目４Ｆ６Ｔ以外の部分の通気孔４Ｆ６Ｋが広がる。よって、本変形例のおむつ１では、通気路形成シート１１Ｆ，１１Ｒとカバーシート４Ｆ，４Ｒとの間に形成される通気路（図１０においてハーフトーンで示す空間）のみならず、カバーシート４Ｆ，４Ｒが折り返し線４Ｆ６，４Ｒ６を境に折り返されることによってカバーシート４Ｆ，４Ｒ内に形成される通気路（図１０においてハッチングで示す空間）が形成される。よって、本実施形態のおむつ１は、折り返し線４Ｆ６，４Ｒ６の部分に通気孔４Ｆ６Ｋが形成されないものと比べると、ウエストギャザー３Ｒにおける通気性が高い。特に、上記変形例として示したダブルポンプ機能を有する形態、すなわち、ウエストギャザーＧ２の第１収縮部Ｓ１の部分とタミーギャザーＧ３の部分の２箇所でそれぞれポンプ機能が発揮される形態と組み合わせれば、通気孔４Ｆ６Ｋを通じた通気も加わり、おむつ１内の湿気をより円滑に排出することが可能である。これにより、おむつ１の内部空間をより快適な環境にすることができる。
【００６８】
なお、上記実施形態のおむつ１には、通気路形成シート１１Ｆ，１１Ｒが設けられていたが、通気路形成シート１１Ｆ，１１Ｒは省略してもよい。通気路形成シート１１Ｆ，１１Ｒが省略されると、第１通気路１１１及び第２通気路１１２は失われるが、第３糸ゴム４Ｆ３，４Ｒ３による拘束の度合いの低下は維持されるため、第３収縮部Ｓ３に形成される襞の大きさが周囲より大きくなる状態は維持され、上記実施形態と同様、第３収縮部Ｓ３におけるポンプ効果は維持することができる。
【符号の説明】
【００６９】
１・・おむつ
１Ｂ・・股下領域
１Ｆ・・前身頃領域
１Ｒ・・後身頃領域
２Ｔ・・胴開口部
Ｇ２・・ウエストギャザー
４Ｆ，４Ｒ・・カバーシート
４Ｆ１，４Ｒ１・・第１糸ゴム
４Ｆ２，４Ｒ２・・第２糸ゴム
４Ｆ３，４Ｒ３・・第３糸ゴム
４Ｆ４，４Ｒ４・・第４糸ゴム
１１Ｆ，１１Ｒ・・通気路形成シート
Ｓ・・接合部
Ｓ１・・第１収縮部
Ｓ２・・第２収縮部
Ｓ３・・第３収縮部
Ｓ４・・第４収縮部
【図１】
2020103562.tif 000003
【図２】
2020103562.tif 000004
【図３】
2020103562.tif 000005
【図４】
2020103562.tif 000006
【図５】
2020103562.tif 000007
【図６】
2020103562.tif 000008
【図７】
2020103562.tif 000009
【図８】
2020103562.tif 000010
【図９】
2020103562.tif 000011
【図１０】
2020103562.tif 000012